(57)【要約】【課題】オペレータに空気浄化フィルタの交換をうながして、内視鏡を通じて送気される空気を継続的に確実に浄化することができる内視鏡用光源装置を提供すること。【解決手段】内視鏡に供給するための照明光を放射する光源ランプ１と、内視鏡に供給するための空気を送り出す送気ポンプ２とが内蔵されて、送気ポンプ２に大気を吸い込むための吸気口２１と送気ポンプ２で加圧された空気を装置外に送り出すための送気口２２との間の空気流路に、空気を浄化するための空気浄化フィルタ１７が着脱自在に取り付けられた内視鏡用光源装置において、光源ランプ１を交換するためのランプ交換扉６が外部から開閉自在に設けられていて、ランプ交換扉６によって開閉される開口部５内に空気浄化フィルタ１７が配置されている。【選択図】      図１
2005192773.tif 000002
【特許請求の範囲】
【請求項１】
内視鏡に供給するための照明光を放射する光源ランプと、上記内視鏡に供給するための空気を送り出す送気ポンプとが内蔵されて、上記送気ポンプに大気を吸い込むための吸気口と上記送気ポンプで加圧された空気を装置外に送り出すための送気口との間の空気流路に、空気を浄化するための空気浄化フィルタが着脱自在に取り付けられた内視鏡用光源装置において、
上記光源ランプを交換するためのランプ交換扉が外部から開閉自在に設けられていて、上記ランプ交換扉によって開閉される開口部内に上記空気浄化フィルタが配置されていることを特徴とする内視鏡用光源装置。
【請求項２】
上記空気浄化フィルタを内蔵する空気浄化フィルタユニットが、上記ランプ交換扉の内側において上記開口部を塞ぐ位置に外方に退避自在に配置されているフィルタユニット支持部材に対して着脱自在に取り付けられている請求項１記載の内視鏡用光源装置。
【請求項３】
上記フィルタユニット支持部材に上記空気浄化フィルタユニットが取り付けられている状態のとき、上記フィルタユニット支持部材の外方への回動を上記空気浄化フィルタユニットに当接することによって規制する回動規制部材が上記開口部に設けられていて、上記フィルタユニット支持部材から上記空気浄化フィルタユニットを取り外して上記フィルタユニット支持部材を外方に回動させないと、上記光源ランプを交換することができないようになっている請求項２記載の内視鏡用光源装置。
【発明の詳細な説明】
【技術分野】
【０００１】
この発明は、内視鏡に対して供給する空気を送り出すための送気ポンプを内蔵した内視鏡用光源装置に関する。
【背景技術】
【０００２】
一般に、内視鏡用光源装置には、内視鏡に対して送気用の空気を供給するための送気ポンプが内蔵されており、内視鏡室内の大気を、内視鏡を通じて患者の体腔内に送気できるようになっている。
【０００３】
しかし、内視鏡室内の空気は必ずしも清浄なものではないから、手術時に内視鏡を使用するような場合は、内視鏡室内の空気をそのまま患者の体腔内に送気すると、空中の細菌等による感染症発生のおそれがある。
【０００４】
そこで従来は、送気ポンプに大気を吸い込むための吸気口と送気ポンプで加圧された空気を装置外に送り出すための送気口との間の空気流路に、空気を浄化するための空気浄化フィルタを外方から着脱自在に設けていた（例えば、特許文献１）。
【特許文献１】特開平８−２５６９７１
【発明の開示】
【発明が解決しようとする課題】
【０００５】
送気ポンプによる空気流路に空気浄化フィルタを設けることにより、内視鏡に送られる空気を清浄なものにすることができるが、フィルタ交換を定期的に行わないと、フィルタ機能が低下して元の木阿弥になってしまう。
【０００６】
しかし、光源ランプ切れなどと違って空気浄化フィルタの目詰まり等には気がつかない場合が多く、また、目詰まりがあっても内視鏡検査を全く行えなくなるわけではないので、目詰まりに気がついてもそのまま使用されてしまう場合があった。
【０００７】
そこで本発明は、オペレータに空気浄化フィルタの交換をうながして、内視鏡を通じて送気される空気を継続的に確実に浄化することができる内視鏡用光源装置を提供することを目的とする。
【課題を解決するための手段】
【０００８】
上記の目的を達成するため、本発明の内視鏡用光源装置は、内視鏡に供給するための照明光を放射する光源ランプと、内視鏡に供給するための空気を送り出す送気ポンプとが内蔵されて、送気ポンプに大気を吸い込むための吸気口と送気ポンプで加圧された空気を装置外に送り出すための送気口との間の空気流路に、空気を浄化するための空気浄化フィルタが着脱自在に取り付けられた内視鏡用光源装置において、光源ランプを交換するためのランプ交換扉が外部から開閉自在に設けられていて、ランプ交換扉によって開閉される開口部内に空気浄化フィルタが配置されているものである。
【０００９】
なお、空気浄化フィルタを内蔵する空気浄化フィルタユニットが、ランプ交換扉の内側において開口部を塞ぐ位置に外方に退避自在に配置されているフィルタユニット支持部材に対して着脱自在に取り付けられていてもよい。
【００１０】
また、フィルタユニット支持部材に空気浄化フィルタユニットが取り付けられている状態のとき、フィルタユニット支持部材の外方への回動を空気浄化フィルタユニットに当接することによって規制する回動規制部材が開口部に設けられていて、フィルタユニット支持部材から空気浄化フィルタユニットを取り外してフィルタユニット支持部材を外方に回動させないと、光源ランプを交換することができないようにしてもよい。
【発明の効果】
【００１１】
本発明によれば、光源ランプを交換する必要が生じた時に、同時にオペレータに空気浄化フィルタの交換をうながして、内視鏡を通じて送気される空気を継続的に確実に浄化することができる。
【発明を実施するための最良の形態】
【００１２】
内視鏡に供給するための照明光を放射する光源ランプと、内視鏡に供給するための空気を送り出す送気ポンプとが内蔵されて、送気ポンプに大気を吸い込むための吸気口と送気ポンプで加圧された空気を装置外に送り出すための送気口との間の空気流路に、空気を浄化するための空気浄化フィルタが着脱自在に取り付けられた内視鏡用光源装置において、光源ランプを交換するためのランプ交換扉が外部から開閉自在に設けられていて、ランプ交換扉によって開閉される開口部内に空気浄化フィルタが配置されている。
【実施例】
【００１３】
図面を参照して本発明の実施例を説明する。
図２は内視鏡用光源装置の側面図、図１は平面図である。ただし、図１は、筐体０内に配置されている各部材を実線で示している。
【００１４】
内視鏡用光源装置には、内視鏡に供給するための照明光を放射する光源ランプ１と、内視鏡に供給するための空気を送り出す送気ポンプ２が内蔵されている。なお、内視鏡のコネクタが接続されるコネクタ受け等の図示は省略されている。
【００１５】
光源ランプ１は放熱用のヒートシンク３に支持されており、ヒートシンク３の側部に取り付けられているボルト４を緩めることによって、光源ランプ１をヒートシンク３に対して着脱することができる。
【００１６】
そのボルト４の頭部に面する筐体０の側壁部分には、外部から手を差し込んで光源ランプ１を交換することができるように開口部５が形成されていて、外部から開閉自在なランプ交換扉６によって開口部５が塞がれている。
【００１７】
ランプ交換扉６は、一端側に設けられた蝶番７を中心に回動するように筐体０に取り付けられていて、他端側に取り付けられている摘み８を回転させることにより、摘み８に連結されているストッパ９が回動して、筐体０に対する固定とその解除を行うことができる。
【００１８】
そのようにしてランプ交換扉６によって開閉される開口部５内には、開口部５を塞ぐ状態にフィルタユニット支持扉１０（フィルタユニット支持部材）が配置されており、フィルタユニット支持扉１０は、その一端側に設けられた蝶番１１を中心に外方に向かって回動自在であり、他端側が、光源装置のフレーム類に固定されたマグネット１２に磁力によって吸着固定されている。
【００１９】
１６は、送気ポンプ２に吸い込まれる空気を浄化するための空気浄化フィルタ１７を内蔵した円筒状の空気浄化フィルタユニットであり、フィルタユニット支持扉１０に固定されたフィルタユニット支持腕１４（フィルタユニット支持部材）に対して外方から着脱自在に取り付けられている。
【００２０】
フィルタユニット支持腕１４は、例えば図３に示されるように、空気浄化フィルタユニット１６を側方から弾力的にはさみ付けて固定することができるように構成された片持ちの一対のアームであり、弾性変形させることにより空気浄化フィルタユニット１６を自由に着脱することができる。
【００２１】
図１及び図２に戻って、そのようにしてフィルタユニット支持腕１４に取り付けられている空気浄化フィルタユニット１６の出口側に突設された接続筒１８は、送気ポンプ２から延出して配置されている接続チューブ２０の受け口１９に着脱自在に差し込み接続されていて、その差し込み部は図示されていないＯリング等によりシールされている。
【００２２】
したがって、送気ポンプ２を運転すると、空気浄化フィルタユニット１６の吸気口２１から吸い込まれた大気が空気浄化フィルタユニット１６内に導かれ、空気浄化フィルタユニット１６内で空気浄化フィルタ１７を通過することにより浄化されてから、接続チューブ２０を通って、送気ポンプ２で加圧された空気が送気口２２から図示されていない内視鏡に向かう管路に送り出される。
【００２３】
図４は、ランプ交換扉６が開放された状態を示しており、ランプ交換扉６を開放することにより、開口部５内に配置されている空気浄化フィルタユニット１６が露出するので、フィルタユニット支持腕１４から空気浄化フィルタユニット１６を取り外して受け口１９を少し外方に引き出し、接続筒１８と受け口１９との接続を外して空気浄化フィルタユニット１６を交換することができる。
【００２４】
その状態では、フィルタユニット支持扉１０によって開口部５が塞がれているので、光源ランプ１を交換することができないが、図５に示されるように、ランプ交換扉６に続いてフィルタユニット支持扉１０も外方に回動させれば、開口部５が開放された状態になるので、ボルト４を緩めて光源ランプ１を交換することができる。
【００２５】
このように構成された実施例の内視鏡用光源装置においては、光源ランプ１を交換する際にランプ交換扉６を開くと、まず空気浄化フィルタユニット１６が現れるので、オペレータが忘れずに空気浄化フィルタユニット１６の交換をすることができる。
【００２６】
図６は、本発明の第２の実施例を示しており、フィルタユニット支持腕１４に空気浄化フィルタユニット１６が取り付けられている状態のときに、フィルタユニット支持扉１０を外方に回動させようとすると、空気浄化フィルタユニット１６に当接することによってフィルタユニット支持扉１０の回動を規制する回動規制板３０を開口部５に追加配置したものである。その他の構成は第１の実施例と同じである。
【００２７】
このようにすることにより、フィルタユニット支持腕１４から空気浄化フィルタユニット１６を取り外さないとフィルタユニット支持扉１０を外方に回動させることができない（したがって、光源ランプ１を交換することができない）ので、光源ランプ１を交換するためには必ずフィルタユニット支持腕１４から空気浄化フィルタユニット１６を取り外す必要があり、空気浄化フィルタユニット１６の交換を積極的に行わせることができる。
【００２８】
なお、本発明は上記実施例に限定されるものではなく、例えば上記各実施例においては、空気浄化フィルタユニット１６の吸気口２１が送気ポンプ２の吸気口２１になっているが、空気浄化フィルタユニット１６は、送気ポンプ２に大気を吸い込むための吸気口と送気ポンプ２で加圧された空気を装置外に送り出すための送気口との間の空気流路のどこかに配置されていればよい。
【図面の簡単な説明】
【００２９】
【図１】本発明の第１の実施例の内視鏡用光源装置の平面図である。
【図２】本発明の第１の実施例の内視鏡用光源装置の側面図である。
【図３】本発明の第１の実施例の図２におけるIII−III断面図である。
【図４】本発明の第１の実施例の内視鏡用光源装置の空気浄化フィルタユニットを交換する状態の平面図である。
【図５】本発明の第１の実施例の内視鏡用光源装置の光源ランプを交換する際の状態の平面図である。
【図６】本発明の第２の実施例の内視鏡用光源装置の部分平面図である。
【符号の説明】
【００３０】
１  光源ランプ
２  送気ポンプ
３  ヒートシンク
５  開口部
６  ランプ交換扉
１０  フィルタユニット支持扉（フィルタユニット支持部材）
１４  フィルタユニット支持腕（フィルタユニット支持部材）
１６  空気浄化フィルタユニット
１７  空気浄化フィルタ
１８  接続筒
１９  受け口
２０  接続チューブ
２１  吸気口
２２  送気口
【図１】
2005192773.tif 000003
【図２】
2005192773.tif 000004
【図３】
2005192773.tif 000005
【図４】
2005192773.tif 000006
【図５】
2005192773.tif 000007
【図６】
2005192773.tif 000008